(57)【要約】【課題】回転操作摘子の操作モードの切替に際して利便性の向上を図る。【解決手段】筐体２に回転自在に支持された回転操作摘子４と、筐体に配置された操作スイッチ（センター摘子、Ａ釦〜Ｆ釦）と、該操作スイッチに対する操作に基づいて回転操作摘子の操作モードを切り替える操作処理部８とを設けた。【選択図】　　　　図４
2004120323.tif 000002
【特許請求の範囲】
【請求項１】
情報処理機器における各種の処理動作時に該情報処理機器に対して操作信号を送出して操作するリモートコントロール装置であって、
筐体に回転自在に支持された回転操作摘子と、
筐体に配置された操作スイッチと、
該操作スイッチに対する操作に基づいて回転操作摘子の操作モードを切り替える操作処理部とを備えた
ことを特徴とするリモートコントロール装置。
【請求項２】
情報処理機器における各種の処理動作時に該情報処理機器に対して操作信号を送出して操作するリモートコントロール装置による制御方法であって、
リモートコントロール装置は、筐体に回転自在に支持された回転操作摘子と、筐体に配置された操作スイッチと、該操作スイッチに対する操作に応じた指令信号を情報処理機器に送出する操作処理部とを備え、
操作スイッチに対する操作状態を検出し、
操作状態の検出結果に応じて回転操作摘子の操作モードを切り替えるようにした
ことを特徴とするリモートコントロール装置による制御方法。
【請求項３】
情報処理機器における各種の処理動作時に該情報処理機器に対して操作信号を送出して操作するリモートコントロール装置制御プログラムであって、
リモートコントロール装置の操作スイッチに対する操作状態を検出する検出ステップと、
操作状態の検出結果に応じてリモートコントロール装置の筐体に回転自在に支持された回転操作摘子の操作モードを切り替える切替ステップとを備えた
ことを特徴とするリモートコントロール装置制御プログラム。
【発明の詳細な説明】
【０００１】
【発明の属する技術分野】
本発明はリモートコントロール装置、リモートコントロール装置による制御方法及びリモートコントロール装置制御プログラムに関する。詳しくは、回転操作摘子の操作モードの切替に際して利便性の向上を図る技術分野に関する。
【０００２】
【従来の技術】
情報処理機器として、例えば、パーソナルコンピュータ、画像編集や音楽編集等を行うことができる各種の編集機器、ＰＤＡ（Ｐａｓｏｎａｌ　Ｄｉｇｉｔａｌ　Ａｓｓｉｓｔａｎｃｅ）、ネットワーク端末やワークステーション等があり、このような情報処理機器における編集作業等の各種の処理動作時にリモートコントロール装置を用いる場合がある。
【０００３】
リモートコントロール装置には、筐体に回転自在に支持された回転操作摘子と、筐体に配置された複数の操作スイッチとを備え、接続ケーブルを介してパーソナルコンピュータに接続されて、例えば、主としてビデオ編集作業時に使用されるものがある。
【０００４】
このような情報処理機器にあっては、回転操作摘子を回転操作することにより、画像（コマ）を送るコマ送り、コマ戻し、早送り又は早戻しを行うことができる。例えば、回転操作摘子を時計回り方向へ回転すると１クリック毎に１コマずつ送るコマ送り又は１クリック毎に、例えば、５コマずつ送る早送りが行われ、反時計回り方向へ回転すると１クリック毎に１コマずつ戻すコマ戻し又は１クリック毎に、例えば、５コマずつ戻す早戻しが行われる。
【０００５】
また、操作スイッチを操作することにより、画像の再生、逆再生、音量の調整、所定の編集位置へのジャンプ等を行うことができる。
【０００６】
上記した従来のリモートコントロール装置を用いた場合には、回転操作摘子の操作モード、即ち、コマ送り・コマ戻しモードと早送り・早戻しモードの切替を、パーソナルコンピュータの画面を確認しながらマウスやキーボードの操作キーを操作して行うようにしている。
【０００７】
また、パーソナルコンピュータの種類によっては、各操作モードを設定する機能を有する操作キーが設けられているものがあり、このようなパーソナルコンピュータにあっても、画面を確認しながらこれらの操作キーを操作することにより回転操作摘子の操作モードを切り替えるようにしている。
【０００８】
【非特許文献１】
小寺信良、“小寺信良の週間「Ｅｌｅｃｔｒｉｃ　Ｚｏｏｍａ！」”、［ｏｎｌｉｎｅ］、［平成１４年８月１９日検索］、インターネット＜ＵＲＬ：ｈｔｔｐ：／／ｗｗｗ．ｗａｔｃｈ．ｉｍｐｒｅｓｓ．ｃｏ．ｊｐ／ａｖ／ｄｏｃｓ／２００１０５０２／ｚｏｏｍａ０８．ｈｔｍ＞
【０００９】
【発明が解決しようとする課題】
ところが、従来のリモートコントロール装置を用いた場合には、上記したように、パーソナルコンピュータ側の操作により、その都度、画面を確認しながら回転操作摘子の操作モードを切り替える必要があり、モード切替作業が面倒であり利便性に欠けるという問題があった。
【００１０】
そこで、本発明リモートコントロール装置は、上記した問題点を克服し、回転操作摘子の操作モードの切替に際して利便性の向上を図ることを課題とする。
【００１１】
【課題を解決するための手段】
本発明リモートコントロール装置は、上記した課題を解決するために、筐体に回転自在に支持された回転操作摘子と、筐体に配置された操作スイッチと、該操作スイッチに対する操作に基づいて回転操作摘子の操作モードを切り替える操作処理部とを設けたものである。
【００１２】
本発明リモートコントロール装置による制御方法は、リモートコントロール装置に、筐体に回転自在に支持された回転操作摘子と、筐体に配置された操作スイッチと、該操作スイッチに対する操作に応じた指令信号を情報処理機器に送出する操作処理部とを設け、操作スイッチに対する操作状態を検出し、操作状態の検出結果に応じて回転操作摘子の操作モードを切り替えるようにしたものである。
【００１３】
本発明リモートコントロール装置制御プログラムは、リモートコントロール装置の操作スイッチに対する操作状態を検出する検出ステップと、操作状態の検出結果に応じてリモートコントロール装置の筐体に回転自在に支持された回転操作摘子の操作モードを切り替える切替ステップとを設けたものである。
【００１４】
従って、本発明リモートコントロール装置、リモートコントロール装置による制御方法及びリモートコントロール装置制御プログラムにあっては、操作スイッチに対する操作に応じて回転操作摘子の操作モードが切り替わる。
【００１５】
【発明の実施の形態】
以下に、本発明リモートコントロール装置、リモートコントロール装置による制御方法及びリモートコントロール装置制御プログラムの実施の形態を添付図面に従って説明する。尚、以下に示した実施の形態は、本発明を、情報処理機器としてのパーソナルコンピュータに接続されるリモートコントロール装置に適用したものである。
【００１６】
リモートコントロール装置１が接続されるパーソナルコンピュータ１００は、例えば、装置本体１０１と該装置本体１０１に回動自在に支持されたディスプレイ１０２とを備え、装置本体１０１に複数の操作キーを有するキーボード１０３が設けられている（図１参照）。
【００１７】
リモートコントロール装置１は扁平な筐体２に所要の各機構及び各部材が設けられて成り、筐体２から導出された接続ケーブル３を介してパーソナルコンピュータ１００の図示しない接続コネクター、例えば、ＵＳＢ（Ｕｎｉｖｅｒｓａｌ　Ｓｅｒｉａｌ　Ｂｕｓ）コネクターと接続されている。従って、リモートコントロール装置１を操作することにより、操作の種類に応じた操作信号がパーソナルコンピュータ１００に送出され、パーソナルコンピュータ１００において操作信号に応じた所定の各処理が行われる。一方、パーソナルコンピュータ１００の操作キー等を操作することにより、操作の種類に応じた指令信号をリモートコントロール装置１に送出することも可能であり、この場合には、リモートコントロール装置１において指令信号に応じた所定の各処理が行われる。
【００１８】
筐体２の上面の略中央部には、回転操作摘子４が回転自在に支持されている（図２参照）。回転操作摘子４は円環状に形成され、上面に、操作時に指を宛うための操作凹部４ａが形成されている。回転操作摘子４には筐体２の内部に配置された後述する回転角度検出部が設けられており、該回転角度検出部は回転操作摘子４の所定の回転角度（１クリック）の回転操作毎に１パルスを発生する。
【００１９】
筐体２の回転操作摘子４の内側の位置には、操作スイッチとして機能するセンター摘子５が配置されている。センター摘子５は上下左右の４方向への操作及び押圧操作が可能とされている。
【００２０】
筐体２の上面には、６つの操作スイッチＡ、Ｂ、Ｃ、Ｄ、Ｅ、Ｆ（以下、それぞれ「Ａ釦」、「Ｂ釦」、「Ｃ釦」、「Ｄ釦」、「Ｅ釦」、「Ｆ釦」と言う。）が各別に配置されている。
【００２１】
筐体２の回転操作摘子４の外周縁に対応する部分は、透明材料によって形成された透光部２ａとして形成されている。
【００２２】
筐体２の内部には回路基板６が配置されており、該回路基板６に、例えば、４つの発光ダイオード７、７、・・・が搭載されている。発光ダイオード７、７、・・・は、筐体２の透光部２ａに対応する位置に、周方向に等間隔に離間して配置されている。従って、発光ダイオード７、７、・・・の発光状態を、透光部２ａを介して外部から視認することができる。
【００２３】
リモートコントロール装置１にはパーソナルコンピュータ１００を介して電源が供給され、リモートコントロール装置１に電源が供給されると発光ダイオード７が点灯される。
【００２４】
リモートコントロール装置１は、回転操作摘子４、センター摘子５又はＡ釦〜Ｆ釦に対する何れの操作も行われないときには、一定時間、例えば、１８０秒間、発光ダイオード７、７、・・・が点滅されるようになっている。
【００２５】
回路基板６には、回転操作摘子４、操作スイッチとして機能するセンター摘子５及びＡ釦〜Ｆ釦に対する操作に応じて所定の各処理を行う操作処理部８が設けられ、該操作処理部８は、例えば、ＣＰＵ（中央演算処理装置）である。
【００２６】
以下に、リモートコントロール装置１の回路構成及びその動作について説明する（図３参照）。
【００２７】
リモートコントロール装置１には、回転角度検出部９、回転方向検出部１０、第１の操作検出部１１及び第２の操作検出部１２が設けられている。
【００２８】
回転角度検出部９は回転操作摘子４の回転操作の角度を検出し、回転操作摘子４の１クリックの回転操作毎に１パルスを発生して操作処理部８に送出する。
【００２９】
回転方向検出部１０は回転操作摘子４の回転操作の方向を検出し、回転操作の方向に応じた検出信号を操作処理部８に送出する。
【００３０】
第１の操作検出部１１はセンター摘子５の操作状態、即ち、上下左右への操作の状態、押圧操作の状態及び操作回数を検出し、これらの操作状態に応じた検出信号を操作処理部８に送出する。
【００３１】
第２の操作検出部１２はＡ釦、Ｂ釦、Ｃ釦、Ｄ釦、Ｅ釦及びＦ釦の操作状態を検出し、操作状態に応じた検出信号を操作処理部８に送出する。
【００３２】
操作処理部８はタイマー８ａ、メモリーコントローラー８ｂ及び発光ダイオードレジスター（以下、「ＬＥＤレジスター」と言う。）８ｃを有している。
【００３３】
タイマー８ａは、例えば、「０」から「１８０」までの値を記憶することができる。タイマー８ａには回転操作摘子４、センター摘子５又はＡ釦〜Ｆ釦に対する操作が行われたときに、例えば、「０」の値が記憶され、その後、１秒間に対して１カウントが加算され、上記のように、回転操作摘子４、センター摘子５又はＡ釦〜Ｆ釦の何れにも操作が１８０秒間行われなかったときに「１８０」の値が記憶されて発光ダイオード７、７、・・・が点滅されて省電力モードとなる。
【００３４】
メモリーコントローラー８ｂはバッファメモリー１３に接続されており、該バッファメモリー１３に対する各指令値やキーマップの書き込み及び読み出しを制御する。
【００３５】
ＬＥＤレジスター８ｃは所定の値を記憶することができ、例えば、発光ダイオード７、７、・・・を時計回り方向において順にＬＥＤ１、ＬＥＤ２、ＬＥＤ３、ＬＥＤ４とすると、ＬＥＤレジスター８ｃに「１」が入力されたときにＬＥＤ１が１回点滅され、以下同様に、ＬＥＤレジスター８ｃに「２」、「３」、「４」が入力されたときにそれぞれＬＥＤ２、ＬＥＤ３、ＬＥＤ４が１回点滅される。
【００３６】
リモートコントロール装置１には電源供給部１４が設けられている。電源供給部１４にパーソナルコンピュータ１００を介して電源が供給されると、電源供給部１４から電源入力信号が操作処理部８に送出され、上記したように、発光ダイオード７が点灯される。
【００３７】
以下に、リモートコントロール装置１に設けられた回転操作摘子４、センター摘子５及びＡ釦〜Ｆ釦の機能について説明する。
【００３８】
回転操作摘子４は時計回り方向又は反時計回り方向へ回転操作され、１クリック毎に所定の角度ずつ回転される。回転操作摘子４は主にビデオの編集作業を行う場合に操作され、回転操作摘子４を回転操作することにより、画像（コマ）を送るコマ送り、コマ戻し、早送り又は早戻しを行うことができる。例えば、回転操作摘子４を時計回り方向へ回転すると１クリック毎に１コマずつ送るコマ送り又は１クリック毎に、例えば、５コマずつ送る早送りが行われ、反時計回り方向へ回転すると１クリック毎に１コマずつ戻すコマ戻し又は１クリック毎に、例えば、５コマずつ戻す早戻しが行われる。
【００３９】
センター摘子５は、上記したように、上下左右の４方向への操作又は押圧操作が行われる。例えば、左右方向へ操作することにより画像の再生又は逆再生を行うことができ、上下方向へ操作することにより音量の調整を行うことができ、押圧操作することにより一時停止を行うことができる。
【００４０】
Ａ釦、Ｂ釦、Ｃ釦、Ｄ釦、Ｅ釦、Ｆ釦は、使用するソフトウェアによって機能が異なる。
【００４１】
リモートコントロール装置１は複数の所定のソフトウェアの操作を行うことができ、以下に、例として、「Ａｄｏｂｅ　Ｐｒｅｍｉｅｒｅ　６．０」（アドビシステムズ株式会社の商品名）を用いた場合に、回転操作摘子４、センター摘子５又はＡ釦〜Ｆ釦が操作されたときの動作について説明する。
【００４２】
回転操作摘子４については、時計回り方向への回転操作によりコマ送り又は早送りを行うことができ、反時計回り方向への回転操作によりコマ戻し又は早戻しを行うことができる。
【００４３】
センター摘子５については、右方向に１回操作することにより画像の再生又は一時停止状態の解除を行うことができ、右方向に２回続けて操作することにより画像の高速再生を行うことができ、左方向に１回操作することにより画像の逆再生を行うことができ、左方向に２回続けて操作することにより画像の高速逆再生を行うことができる。
【００４４】
センター摘子５を上下方向に操作することにより音量調整を行うことができ、押圧操作することにより再生又は逆再生の一時停止を行うことができる。
【００４５】
Ａ釦を操作することにより、直前に編集を行っていた位置に移動することができ、Ｂ釦を操作することにより、次に編集を行う位置に移動することができる。Ｃ釦を操作することにより、指定した位置にビデオ画像を挿入することができ、Ｄ釦を操作することにより、指定したビデオ画像を除去することができる。ビデオ画像の除去は、例えば、コマーシャルビデオのカットを行う場合である。Ｅ釦を操作することにより、ビデオ画像の挿入又は除去等を行う開始位置を指定することができ、Ｆ釦を操作することにより、ビデオ画像の挿入又は除去等を行う終了位置を指定することができる。
【００４６】
次に、リモートコントロール装置１に設けられた回転操作摘子４の操作モードの切替機能について、図４のフローチャート図を参照して説明する。
【００４７】
情報処理機器１にあっては、例えば、Ａ釦とＢ釦とが同時に操作されたときに回転操作摘子４の操作モードの切替機能が実行される。
【００４８】
（Ｓ１）メモリーコントローラー８ｂによってバッファメモリー１３からキーマップ１が読み出されて設定される。キーマップ１は、例えば、「コマ送り・コマ戻しモード」に切り替えるためのコード表である。従って、この時点で回転操作摘子４が操作されたときには、回転操作の方向に応じてコマ送り又はコマ戻しが行われる。
【００４９】
（Ｓ２）Ａ釦とＢ釦とが同時に操作されたか否かが第２の操作検出部１２によって検出される（検出ステップ）。Ａ釦とＢ釦とが同時に操作されたことが検出された場合には、（Ｓ３）に移行し、同時に操作されなかったことが検出された場合には、引き続きＡ釦とＢ釦とが同時に操作されたか否かが第２の操作検出部１２によって検出される。
【００５０】
（Ｓ３）メモリーコントローラー８ｂによってバッファメモリー１３からキーマップ２が読み出されて設定される（切替ステップ）。キーマップ２は、例えば、５コマずつの早送り又は早戻しを行う「早送り・早戻しモード」に切り替えるためのコード表である。従って、この時点で回転操作摘子４が操作されたときには、回転操作の方向に応じて５コマずつの早送り又は早戻しが行われる。
【００５１】
（Ｓ４）Ａ釦とＢ釦とが同時に操作されたか否かが第２の操作検出部１２によって検出される（検出ステップ）。Ａ釦とＢ釦とが同時に操作されたことが検出された場合には、（Ｓ５）に移行し、同時に操作されなかったことが検出された場合には、引き続きＡ釦とＢ釦とが同時に操作されたか否かが第２の操作検出部１２によって検出される。
【００５２】
（Ｓ５）メモリーコントローラー８ｂによってバッファメモリー１３からキーマップ３が読み出されて設定される（切替ステップ）。キーマップ３は、例えば、１０コマずつの早送り又は早戻しを行う「早送り・早戻しモード」に切り替えるためのコード表である。従って、この時点で回転操作摘子４が操作されたときには、回転操作の方向に応じて１０コマずつの早送り又は早戻しが行われる。
【００５３】
（Ｓ６）Ａ釦とＢ釦とが同時に操作されたか否かが第２の操作検出部１２によって検出される（検出ステップ）。Ａ釦とＢ釦とが同時に操作されたことが検出された場合には、（Ｓ１）に移行し、メモリーコントローラー８ｂによってバッファメモリー１３からキーマップ１が読み出されて設定され（切替ステップ）、同時に操作されなかったことが検出された場合には、引き続きＡ釦とＢ釦とが同時に操作されたか否かが第２の操作検出部１２によって検出される。
【００５４】
尚、上記には、Ａ釦とＢ釦とが同時に操作されたときに回転操作摘子４の操作モードの切替機能が実行される例について説明したが、操作モードの切替機能はＡ釦とＢ釦の同時操作によって実行される場合に限られることはなく、センター摘子５とＡ釦〜Ｆ釦のうちの任意の２つの釦が同時に操作された場合に実行されるようにしてもよく、また、センター摘子５とＡ釦〜Ｆ釦のうちの１つの釦を専用の切替釦とし該切替釦が操作された場合に実行されるようにしてもよい。さらに、センター摘子５又はＡ釦〜Ｆ釦を操作している間だけ操作モードが切り替わり、これらの釦を離すと操作モードが元に戻るようにしてもよい。
【００５５】
また、上記には、操作モードの切替の例として、「コマ送り・コマ戻しモード」と「早送り・早戻しモード」との切替について説明したが、回転操作摘子４の操作モードが他にも存在する場合には、操作スイッチ（センター摘子５又はＡ釦〜Ｆ釦）によって、これらの他の操作モードの切替が行われるようにしてもよい。
【００５６】
以上に記載した通り、リモートコントロール装置１にあっては、該リモートコントロール装置１に設けられた操作スイッチの操作によって回転操作摘子４の操作モードを切り替えるようにしているため、操作モードを切り替えるときに、その都度、パーソナルコンピュータ１００のディスプレイ１０２の画面を確認しながら行う必要がなく、モード切替作業が容易であり利便性の向上を図ることができる。
【００５７】
尚、上記には、リモートコントロール装置１がパーソナルコンピュータ１００に接続される例を示したが、リモートコントロール装置１が接続される情報処理機器はパーソナルコンピュータ１００に限られることはなく、情報処理機器は、例えば、画像編集や音楽編集等を行うことができる各種の編集機器、ＰＤＡ（Ｐａｓｏｎａｌ　Ｄｉｇｉｔａｌ　Ａｓｓｉｓｔａｎｃｅ）、ネットワーク端末やワークステーション等であってもよい。
【００５８】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００５９】
【発明の効果】
以上に記載したところから明らかなように、請求項１、請求項２及び請求項３に記載した発明によれば、回転操作摘子の操作モードを切り替えるときに、その都度、情報処理機器の画面を確認しながら行う必要がなく、モード切替作業が容易であり利便性の向上を図ることができる。
【図面の簡単な説明】
【図１】図２乃至図４と共に本発明の実施の形態を示すものであり、本図はリモートコントロール装置が情報処理機器に接続された状態を示す斜視図である。
【図２】リモートコントロール装置の拡大平面図である。
【図３】リモートコントロール装置の回路構成を示すブロック図である。
【図４】操作モードの切替機能が実行されるときの動作を示すフローチャート図である。
【符号の説明】
１…リモートコントロール装置、２…筐体、４…回転操作摘子、５…センター摘子（操作スイッチ）、８…操作処理部、Ａ…Ａ釦（操作スイッチ）、Ｂ…Ｂ釦（操作スイッチ）、Ｃ…Ｃ釦（操作スイッチ）、Ｄ…Ｄ釦（操作スイッチ）、Ｅ…Ｅ釦（操作スイッチ）、Ｆ…Ｆ釦（操作スイッチ）、１００…パーソナルコンピュータ（情報処理機器）
【図１】
2004120323.tif 000003
【図２】
2004120323.tif 000004
【図３】
2004120323.tif 000005
【図４】
2004120323.tif 000006